(57)【要約】【課題】伝送される信号が満たすべき条件を緩和する。【解決手段】光伝送装置１０は、生成ユニット１１、１２を有している。生成ユニット１１は、伝送路を介して伝送された信号Ｄ１から、１２個のレーンのＯＴＬ４．１２信号Ｄ１１３を生成する。また、生成ユニット１２は、生成ユニット１１によって生成された４個のレーンのＯＴＬ４．１２信号Ｄ１１３をＯＴＵ３フレームにマッピングすることにより、３個のチャネルのＯＴＵ３信号Ｄ１２４〜Ｄ１２６を生成する。これにより、光伝送装置１０は、信号Ｄ１をＯＴＵ３信号Ｄ１２４〜Ｄ１２６に分配する。また、光伝送装置１０によって分配される前の信号Ｄ１の伝送速度は、分配された後のＯＴＵ３信号Ｄ１２４〜Ｄ１２６の伝送速度の整数倍以外の伝送速度となる。【選択図】図２
2014132746.tif 000002
【特許請求の範囲】
【請求項１】
伝送路を介して伝送された信号から、ｎ個のレーンのＯＴＬｋ．ｎ信号（ｋは整数）を生成する第１生成手段と、
前記第１生成手段によって生成された少なくとも１個のレーンのＯＴＬｋ．ｎ信号をＯＴＵｊフレーム（ｊはｋより小さい整数）にマッピングすることにより、複数のチャネルのＯＴＵｊ信号を生成する第２生成手段と、
を備えるインバース多重装置。
【請求項２】
前記第１生成手段は、
伝送路を介して伝送された信号をＯＴＵｋフレームにマッピングして、ｍ個（ｍはｎより小さい）のレーンのＯＴＬｋ．ｍ信号を生成する第３生成手段と、
前記第３生成手段によって生成されたｍ個のレーンのＯＴＬｋ．ｍ信号を、ｎ個のレーンのＯＴＬｋ．ｎ信号に変換する変換手段と、
を有する、請求項１に記載のインバース多重装置。
【請求項３】
前記第３生成手段は、ＯＴＬ４．１０信号を生成し、
前記変換手段は、ＯＴＬ４．１０信号をＯＴＬ４．１２信号に変換し、
前記第２生成手段は、ＯＴＵ３信号を生成する、
請求項２に記載のインバース多重装置。
【請求項４】
前記第２生成手段は、
前記第１生成手段によって生成された少なくとも１個のレーンのＯＴＬｋ．ｎ信号をＯＴＵｊＶフレームにマッピングすることにより、複数のチャネルのＯＴＵｊＶ信号を生成する、
請求項１又は２に記載のインバース多重装置。
【請求項５】
前記第１生成手段は、ＯＴＬ４．１０信号を生成し、
前記第２生成手段は、少なくとも４個のレーンのＯＴＬ４．１０信号を収容可能な容量のペイロードを有するＯＴＵ３Ｖフレームに、ＯＴＬ４．１０信号をマッピングする、
請求項４に記載のインバース多重装置。
【請求項６】
伝送路を介して伝送された信号からＯＤＵｋフレーム（ｋは整数）を生成し、生成したＯＤＵｋフレームを分割することによりｎ個のレーンのＯＤＬｋ．ｎ信号を生成する第１生成手段と、
前記第１生成手段によって生成された少なくとも１個のレーンのＯＤＬｋ．ｎ信号をＯＴＵｓｃフレームにマッピングすることにより、複数のチャネルのＯＴＵｓｃ信号を生成する第２生成手段と、
を備えるインバース多重装置。
【請求項７】
前記第２生成手段は、ＯＴＵｓｃフレームとして、ＯＴＵｋフレーム又はＦＥＣ冗長領域が拡大されたＯＴＵｋＶフレームに、ＯＤＬｋ．ｎ信号をマッピングすることにより、任意の伝送速度で伝送されるＯＴＵｓｃ信号を生成する、
請求項６に記載のインバース多重装置。
【請求項８】
前記第２生成手段は、ＯＴＵｓｃフレームとして、オーバヘッドの情報が簡略化されたＯＴＵｋフレームに、ＯＤＬｋ．ｎ信号をマッピングする、
請求項６に記載のインバース多重装置。
【請求項９】
前記第１生成手段は、
ＯＤＵｋフレームに固定スタッフを付加することにより、ＯＤＵｋフレームのサイズを変更し、サイズが変更されたＯＤＵｋフレームを分割する、
請求項６乃至８のいずれか一項に記載のインバース多重装置。
【請求項１０】
前記第１生成手段は、ＯＤＵ４フレームを生成し、生成したＯＤＵ４フレームを、固定スタッフを付加することにより、１行あたりのサイズが２４０×１６バイトである４行のデータからなるＯＤＵ４フレームとして、１２個のレーンのＯＤＬ４．１２信号に分割する、
請求項９に記載のインバース多重装置。
【請求項１１】
前記第１生成手段は、複数のＯＤＵｋフレーム毎に、ＯＤＵｋフレームから分割されたデータに割り当てられるレーンの順番を変更し、前記複数のＯＤＵｋフレームの各々に含まれるＦＡＳの値を、少なくとも１個のＦＡＳを除いて変更する、
請求項６乃至８のいずれか一項に記載のインバース多重装置。
【請求項１２】
ＯＴＵｊフレーム（ｊは整数）から少なくとも１個のレーンのＯＴＬｋ．ｎ信号（ｋはｊより大きい整数で、ｎは整数）をデマッピングすることにより、複数のチャネルのＯＴＵｊ信号からｎ個のレーンのＯＴＬｋ．ｎ信号を抽出する第１抽出手段と、
前記第１抽出手段によって抽出されたｎ個のレーンのＯＴＬｋ．ｎ信号から、該ｎ個のレーンのＯＴＬｋ．ｎ信号によって搬送される信号を抽出する第２抽出手段と、
を備える多重装置。
【請求項１３】
ＯＴＵｓｃフレームから少なくとも１個のレーンのＯＤＬｋ．ｎ信号（ｋ、ｎは整数）をデマッピングすることにより、複数のチャネルのＯＴＵｓｃ信号からｎ個のレーンのＯＤＬｋ．ｎ信号を抽出する第１抽出手段と、
前記第１抽出手段によって抽出されたｎ個のレーンのＯＤＬｋ．ｎ信号から、ＯＤＵｋフレームを復元し、復元したＯＤＵｋフレームによって搬送される信号を抽出する第２抽出手段と、
を備える多重装置。
【請求項１４】
伝送路を介して伝送された信号から、ｎ個のレーンのＯＴＬｋ．ｎ信号（ｋは整数）を生成する第１生成ステップと、
前記第１生成ステップにおいて生成された少なくとも１個のレーンのＯＴＬｋ．ｎ信号をＯＴＵｊフレーム（ｊはｋより小さい整数）にマッピングすることにより、複数のチャネルのＯＴＵｊ信号を生成する第２生成ステップと、
を含むインバース多重方法。
【請求項１５】
伝送路を介して伝送された信号からＯＤＵｋフレーム（ｋは整数）を生成し、生成したＯＤＵｋフレームを分割することによりｎ個のレーンのＯＤＬｋ．ｎ信号を生成する第１生成ステップと、
前記第１生成ステップにおいて生成された少なくとも１個のレーンのＯＤＬｋ．ｎ信号をＯＴＵｓｃフレームにマッピングすることにより、複数のチャネルのＯＴＵｓｃ信号を生成する第２生成ステップと、
を含むインバース多重方法。
【請求項１６】
ＯＴＵｊフレーム（ｊは整数）から少なくとも１個のレーンのＯＴＬｋ．ｎ信号（ｋはｊより大きい整数で、ｎは整数）をデマッピングすることにより、複数のチャネルのＯＴＵｊ信号からｎ個のレーンのＯＴＬｋ．ｎ信号を抽出する第１抽出ステップと、
前記第１抽出ステップにおいて抽出されたｎ個のレーンのＯＴＬｋ．ｎ信号から、該ｎ個のレーンのＯＴＬｋ．ｎ信号によって搬送される信号を抽出する第２抽出ステップと、
を含む多重方法。
【請求項１７】
ＯＴＵｓｃフレームから少なくとも１個のレーンのＯＤＬｋ．ｎ信号（ｋ、ｎは整数）をデマッピングすることにより、複数のチャネルのＯＴＵｓｃ信号からｎ個のレーンのＯＤＬｋ．ｎ信号を抽出する第１抽出ステップと、
前記第１抽出ステップにおいて抽出されたｎ個のレーンのＯＤＬｋ．ｎ信号から、ＯＤＵｋフレームを復元し、復元したＯＤＵｋフレームによって搬送される信号を抽出する第２抽出ステップと、
を含む多重方法。
【発明の詳細な説明】
【技術分野】
【０００１】
本発明は、インバース多重装置、多重装置、インバース多重方法及び多重方法に関する。
【背景技術】
【０００２】
近年、広く用いられるようになった光通信には、信号を複数のチャネルに分配するインバース多重技術、及び複数のチャネルの信号を多重化する多重技術が応用されている。インバース多重技術及び多重技術を用いることにより、例えば、大容量のデータを信号に重畳させて、効率よく搬送することが可能となる。
【０００３】
インバース多重技術及び多重技術として、複数の伝送路を介して信号をパラレルに伝送するためのバーチャルコンカチネーションが知られている（例えば、非特許文献１及び特許文献１を参照）。非特許文献１には、ＩＴＵ−Ｔ（International Telecommunication Union Telecommunication standardization sector）によって勧告されたＯＴＮ（Optical Transport Network）の規格とともに、ＯＴＮの枠組みにおいてバーチャルコンカチネーションを用いる手法が記載されている。
【０００４】
また、特許文献１に記載の光伝送システムは、１００ＧｂＥ（ギガビットイーサネット（イーサネット：登録商標））の信号をＯＴＵ（Optical channel Transport Unit）フレームに収容し、１０チャネルの信号に分配して伝送する。そして、この光伝送システムは、１０チャネルの信号から１００ＧｂＥの信号を復元する。なお、ＯＴＵフレームは、非特許文献１において勧告された規格に従うデータ形式である。
【先行技術文献】
【特許文献】
【０００５】
【特許文献１】特開２０１０−５０８０３号公報
【非特許文献】
【０００６】
【非特許文献１】ＩＴＵ−Ｔ  Ｒｅｃｏｍｅｎｄａｔｉｏｎ  Ｇ．７０９
【発明の概要】
【発明が解決しようとする課題】
【０００７】
しかしながら、バーチャルコンカチネーションを用いる場合に、分配される前の信号の伝送速度は、分配された後の信号の伝送速度の整数倍であるという条件を満たす必要がある。そのため、伝送される信号がこの条件を満たさないときに、バーチャルコンカチネーションを用いることは困難であった。
【０００８】
本発明は、上記の事情に鑑みてなされたもので、伝送される信号が満たすべき条件を緩和することを目的とする。
【課題を解決するための手段】
【０００９】
上記目的を達成するため、本発明のインバース多重装置は、
伝送路を介して伝送された信号から、ｎ個のレーンのＯＴＬｋ．ｎ信号（ｋは整数）を生成する第１生成手段と、
前記第１生成手段によって生成された少なくとも１個のレーンのＯＴＬｋ．ｎ信号をＯＴＵｊフレーム（ｊはｋより小さい整数）にマッピングすることにより、複数のチャネルのＯＴＵｊ信号を生成する第２生成手段と、
を備える。
【発明の効果】
【００１０】
本発明によれば、ｎ個のレーンのうち少なくとも１個のレーンのＯＴＬｋ．ｎ信号がＯＴＵｊフレームにマッピングされる。このｎの値及びマッピングされるレーンの数等を適宜設定することで、分配前の信号の伝送速度を、分配後の信号の伝送速度の整数倍以外の伝送速度とすることができる。これにより、伝送される信号が満たすべき条件を緩和することができる。
【図面の簡単な説明】
【００１１】
【図１】実施の形態１に係る伝送システムの構成を示すブロック図である。
【図２】光伝送装置の構成を示すブロック図である。
【図３】ＯＴＵｋフレームのデータ構造を示す図である。
【図４】インバース多重装置として機能する光伝送装置の動作を示すフロー図である。
【図５】１００ＧｂＥの信号が伝送される場合におけるＯＴＬ４．１０信号生成処理を示すフロー図である。
【図６】ＯＴＵ４信号が伝送される場合におけるＯＴＬ４．１０信号生成処理を示すフロー図である。
【図７】ＯＴＬ４．１０信号の構成を示す図である。
【図８】ＯＴＬ４．１２信号の構成を示す図である。
【図９】ＯＴＵ３信号生成処理を示すフロー図である。
【図１０】多重装置として機能する光伝送装置の動作を示すフロー図である。
【図１１】実施の形態２に係るＯＴＵ３信号生成処理を示すフロー図である。
【図１２】実施の形態３に係る光伝送装置の構成を示すブロック図である。
【図１３】実施の形態４に係る光伝送装置の構成を示すブロック図である。
【図１４】インバース多重装置として機能する光伝送装置の動作を示すフロー図である。
【図１５】ＯＤＵｋフレームのデータ構造を示す図である。
【図１６】固定スタッフが付加されたＯＤＵｋフレームのデータ構造を示す図である。
【図１７】ＯＤＬ４．１２信号の構成を示す図である。
【図１８】ＯＴＵｓｃ信号生成処理を示すフロー図である。
【図１９】多重装置として機能する光伝送装置の動作を示すフロー図である。
【図２０】実施の形態５に係るレーンの回転及びＦＡＳの値の変更について説明するための図である。
【発明を実施するための形態】
【００１２】
以下、本発明の実施の形態を、図面を参照しつつ詳細に説明する。なお、「ＩＴＵ−Ｔ  Ｒｅｃｏｍｅｎｄａｔｉｏｎ  Ｇ．７０９」を、単にＩＴＵ−Ｔ勧告Ｇ．７０９と表記する。
【００１３】
（実施の形態１）
図１には、実施の形態１に係る伝送システム１００が示されている。伝送システム１００は、クライアント７１、７２から送信された信号を、通信路３０を介して他のクライアント７２、７１へ伝送する。クライアント７１、７２は、例えば無線基地局又はユーザによって用いられる端末等であって、伝送システム１００を介して双方向に通信する。
【００１４】
伝送システム１００は、光伝送装置１０、２０と、光伝送装置１０、２０を接続する通信路３０と、を有している。光伝送装置１０、２０は、互いに同様の構成を有し、３対の伝送路からなる通信路３０を介して光信号を互いに送受信する。なお、通信路３０は、例えば光ファイバ等から構成される。
【００１５】
また、光伝送装置１０、２０それぞれは、クライアント７１、７２それぞれとの間で、１対の伝送路を介して信号Ｄ１、Ｄ２を送受信する。信号Ｄ１、Ｄ２は、例えば、ＯＴＵ４信号又は１００ＧｂＥのデジタル信号である。
【００１６】
光伝送装置１０は、信号Ｄ１と、通信路３０を介して伝送される光信号とを相互に変換する。光伝送装置１０は、図２に示されるように、生成ユニット１１、１２を有している。
【００１７】
生成ユニット１１は、信号Ｄ１から１２個のレーンのＯＴＬ４．１２信号Ｄ１１３を生成する。また、生成ユニット１１は、１２個のレーンのＯＴＬ４．１２信号Ｄ１１３から信号Ｄ１を抽出する。生成ユニット１１は、１００Ｇ光トランシーバ１１１、ＯＴＵ４フレーマ１１２、及びＭＬＤ（Multiple Lane Distribution）コンバータ１１３を有している。
【００１８】
１００Ｇ光トランシーバ１１１は、信号Ｄ１と信号Ｄ１１１との光電気変換を相互に行う。例えば、１００Ｇ光トランシーバ１１１は、光信号の信号Ｄ１を電気信号の信号Ｄ１１１に変換して、ＯＴＵ４フレーマ１１２へ送信する。また、１００Ｇ光トランシーバ１１１は、ＯＴＵ４フレーマ１１２から送信された電気信号の信号Ｄ１１１を、光信号の信号Ｄ１に変換する。信号Ｄ１１１は、信号Ｄ１と同様に、ＯＴＵ４信号又は１００ＧｂＥのデジタル信号となる。
【００１９】
ＯＴＵ４フレーマ１１２は、信号Ｄ１１１をＯＴＵ４フレームにマッピングする。そして、ＯＴＵ４フレーマ１１２は、ＯＴＵ４フレームを分割することにより、１０個のレーンのＯＴＬ４．１０（Optical channel Transport Lane 4.10）信号Ｄ１１２を生成して、ＭＬＤコンバータ１１３へ送信する。ＯＴＬ４．１０信号は、一般的に、ＯＴＵ及びＯＴＬの規格の種別を示す値ｋ、及び物理的なレーンの個数ｎを用いて、ＯＴＬｋ．ｎ信号と表記される。
【００２０】
また、ＯＴＵ４フレーマ１１２は、ＭＬＤコンバータ１１３から送信された１０個のレーンのＯＴＬ４．１０信号Ｄ１１２から、このＯＴＬ４．１０信号Ｄ１１２によって搬送される信号Ｄ１１１を抽出する。そして、ＯＴＵ４フレーマ１１２は、抽出した信号Ｄ１１１を１００Ｇ光トランシーバ１１１へ送信する。
【００２１】
図３には、ＩＴＵ−Ｔ勧告Ｇ．７０９において規定されているＯＴＵｋフレーム（ｋ＝０，１，２，３，４）のデータ構造が示されている。図３に示されるように、ＯＴＵｋフレームは、ペイロードと、「ＦＡ  ＯＨ（Frame Alignment OverHead）」と、「ＯＴＵｋ  ＯＨ（OverHead）」と、「ＯＤＵｋ  ＯＨ（Optical channel Data Unit-k OverHead）」と、「ＯＰＵｋ  ＯＨ（Optical channel Payload Unit-k OverHead）」と、ＦＥＣ（Forward Error Correction）冗長領域と、を有している。
【００２２】
ペイロードには、通信の内容を示すデータが格納される。「ＦＡ  ＯＨ」は、ＯＴＵｋフレームの同期に用いられる。「ＯＴＵｋ  ＯＨ」及び「ＯＤＵｋ  ＯＨ」は、ＯＴＵｋフレームの保守・監視に用いられる。「ＯＰＵｋ  ＯＨ」は、ペイロードのマッピングに用いられる。ＦＥＣ冗長領域には、光信号のビット誤りを訂正するための誤り訂正符号に関する情報が格納される。この誤り訂正符号として、通常はリード・ソロモン符号（２５５，２３９）が用いられる。「ＦＡ  ＯＨ」、「ＯＴＵｋ  ＯＨ」、「ＯＤＵｋ  ＯＨ」及び「ＯＰＵｋ  ＯＨ」は、ＯＴＵｋフレームのオーバヘッドを構成する。
【００２３】
図３に示されるように、ＯＴＵｋフレームは、通信の内容が格納されるペイロードに加え、オーバヘッド及びＦＥＣ冗長領域を有する。伝送システム１００は、このＯＴＵｋフレームを用いることで、高速かつ長距離の伝送を実現する。
【００２４】
また、ＩＴＵ−Ｔ勧告Ｇ．７０９では、ＯＴＵｋフレームを搬送するＯＴＵｋ信号の伝送速度、及びＯＴＵｋフレームのペイロードの容量が、ｋの値に応じて規定されている。例えば、ＯＴＵ３信号の伝送速度は、４３．０１８Ｇｂｉｔ／ｓ（≒２５５／２３６×３９．８１３１２Ｇｂｉｔ／ｓ）である。ＯＴＵ３フレームのペイロードの容量は、４０．１５０Ｇｂｉｔ／ｓ（≒２３８／２３６×３９．８１３１２Ｇｂｉｔ／ｓ）である。また、ＯＴＵ４信号の伝送速度は、１１１．８１０Ｇｂｉｔ／ｓ（≒２５５／２２７×９９．５３２８Ｇｂｉｔ／ｓ）である。ＯＴＵ４フレームのペイロードの容量は、１０４．３５６Ｇｂｉｔ／ｓ（≒２３８／２２７×９９．５３２８Ｇｂｉｔ／ｓ）である。
【００２５】
図２に戻り、ＭＬＤコンバータ１１３は、１０個のレーンのＯＴＬ４．１０信号Ｄ１１２を、１２個のレーンのＯＴＬ４．１２信号Ｄ１１３に変換する。そして、ＭＬＤコンバータ１１３は、ＯＴＬ４．１２信号Ｄ１１３を生成ユニット１２へ送信する。
【００２６】
また、ＭＬＤコンバータ１１３は、生成ユニット１２から送信されたＯＴＬ４．１２信号Ｄ１１３をＯＴＬ４．１０信号Ｄ１１２へ変換する。そして、ＭＬＤコンバータ１１３は、ＯＴＬ４．１０信号Ｄ１１２をＯＴＵ４フレーマ１１２へ送信する。
【００２７】
生成ユニット１２は、１２個のレーンのＯＴＬ４．１２信号Ｄ１１３から３個のチャネルのＯＴＵ３信号Ｄ１２４〜Ｄ１２６を生成する。また、生成ユニット１２は、ＯＴＵ３信号Ｄ１２４〜Ｄ１２６から、１２個のレーンのＯＴＬ４．１２信号Ｄ１１３を抽出する。生成ユニット１２は、ＯＴＵ３フレーマ１２１、１２２、１２３、及び４０Ｇ光トランシーバ１２４、１２５、１２６を有している。
【００２８】
ＯＴＵ３フレーマ１２１〜１２３それぞれは、１２個のレーンのうち４個のレーンのＯＴＬ４．１２信号Ｄ１１３を受信して、ＯＴＵ３フレームにマッピングする。そして、ＯＴＵ３フレーマ１２１〜１２３それぞれは、ＯＴＵ３信号Ｄ１２１〜Ｄ１２３それぞれを生成して、４０Ｇ光トランシーバ１２４〜１２６へ送信する。
【００２９】
また、ＯＴＵ３フレーマ１２１〜１２３それぞれは、４０Ｇ光トランシーバ１２４〜１２６それぞれから送出されたＯＴＵ３フレームから、４個のレーンのＯＴＬ４．１２信号Ｄ１１３をデマッピングして、ＭＬＤコンバータ１１３へ送信する。ＯＴＵ３フレーマ１２１〜１２３からは、ＭＬＤコンバータ１１３へ１２個のレーンのＯＴＬ４．１２信号Ｄ１１３が送信されることとなる。
【００３０】
４０Ｇ光トランシーバ１２４〜１２６それぞれは、ＯＴＵ３信号Ｄ１２１〜Ｄ１２３それぞれと、ＯＴＵ３信号Ｄ１２４〜１２６それぞれとの光電気変換を相互に行う。例えば、４０Ｇ光トランシーバ１２４は、電気信号のＯＴＵ３信号Ｄ１２１を、光信号のＯＴＵ３信号Ｄ１２４に変換する。また、４０Ｇ光トランシーバ１２４は、光信号のＯＴＵ３信号Ｄ１２４を、電気信号のＯＴＵ３信号Ｄ１２１に変換して、ＯＴＵ３フレーマ１２１へ送信する。
【００３１】
なお、３個のチャネルのＯＴＵ３信号Ｄ１２４〜Ｄ１２６が波長多重化される場合に、ＯＴＵ３信号Ｄ１２４〜Ｄ１２６それぞれは、互いに異なる波長の光信号となる。そして、ＯＴＵ３信号Ｄ１２４〜Ｄ１２６は、不図示の波長多重部において多重化された後に、通信路３０へ送信される。また、通信路３０を介して光伝送装置１０へ伝送された信号は、不図示の波長分離部においてＯＴＵ３信号Ｄ１２４〜Ｄ１２６それぞれに分離された後で、生成ユニット１２に入力される。
【００３２】
また、ＯＴＵ３信号Ｄ１２４〜Ｄ１２６は、複数のサブキャリアにより変調（多重化）され、復調（分離）されてもよい。その他、任意の方式でＯＴＵ３信号Ｄ１２４〜Ｄ１２６を多重化してもよいし、分離してもよい。
【００３３】
続いて、伝送システム１００が３個のチャネルのＯＴＵ３信号Ｄ１２４〜Ｄ１２６を信号Ｄ１から生成する場合の動作について、図４〜図９を用いて説明する。
【００３４】
まず、生成ユニット１１は、ＯＴＬ４．１０信号生成処理を実行する（ステップＳ１）。このＯＴＬ４．１０信号生成処理は、ＩＴＵ−Ｔ勧告Ｇ．７０９に準拠する手順に従って実行される。図５には、信号Ｄ１が１００ＧｂＥのデジタル信号である場合におけるＯＴＬ４．１０信号生成処理が示されている。
【００３５】
図５に示されるように、ＯＴＬ４．１０信号生成処理において、ＯＴＵ４フレーマ１１２は、まず、１００ＧｂＥの信号Ｄ１１１を受信する（ステップＳ１１ａ）。
【００３６】
次に、ＯＴＵ４フレーマ１１２は、ＧＭＰ（Generic Mapping Procedure）に従ってＯＰＵ４フレームを生成する（ステップＳ１２ａ）。具体的には、ＯＴＵ４フレーマ１１２は、信号Ｄ１１１をＯＰＵ４フレームのペイロードにマッピングすることにより、ＯＰＵ４フレームを生成する。ＧＭＰ及びＯＰＵ４フレームは、ＩＴＵ−Ｔ勧告Ｇ．７０９にて規定されているマッピング手法及びデータ形式である。また、ＯＰＵ４フレームのペイロードの容量は、１０４．３５６Ｇｂｉｔ／ｓである。
【００３７】
次に、ＯＴＵ４フレーマ１１２は、ＯＤＵ４フレームを生成する（ステップＳ１３ａ）。具体的には、ＯＴＵ４フレーマ１１２は、ＯＰＵ４フレームをＯＤＵ４フレームにマッピングして、ＯＰＵ４フレームにＯＤＵ４フレームのオーバヘッドを付加する。ＯＤＵ４フレームは、ＩＴＵ−Ｔ勧告Ｇ．７０９にて規定されているデータ形式である。
【００３８】
次に、ＯＴＵ４フレーマ１１２は、ＯＴＵ４フレームを生成する（ステップＳ１４）。具体的には、ＯＴＵ４フレーマ１１２は、ＯＤＵ４フレームをＯＴＵ４フレームにマッピングして、ＯＤＵ４フレームにＯＴＵ４フレームのオーバヘッドを付加する。これにより、ＯＴＵ４信号が生成される。
【００３９】
次に、ＯＴＵ４フレーマ１１２は、ＯＴＵ４フレームを分割することにより、１０個のレーンのＯＴＬ４．１０信号Ｄ１１２を生成する（ステップＳ１５）。その後、生成ユニット１１は、ＯＴＬ４．１０信号生成処理を終了する。
【００４０】
続いて、信号Ｄ１がＯＴＵ４信号である場合におけるＯＴＬ４．１０信号生成処理について、図６を用いて説明する。図６に示されるように、ＯＴＵ４フレーマ１１２は、まず、信号Ｄ１１１としてＯＴＵ４信号を受信する（ステップＳ１１ｂ）。
【００４１】
次に、ＯＴＵ４フレーマ１１２は、ＯＴＵ４フレームのオーバヘッドの終端処理を実行して、ＯＴＵ４フレームからＯＤＵ４フレームを抽出する（ステップＳ１２ｂ）。
【００４２】
次に、ＯＴＵ４フレーマ１１２は、図５に示されたステップＳ１４、Ｓ１５と同様の処理を実行して、ＯＴＬ４．１０信号生成処理を終了する。
【００４３】
図４に戻り、ステップＳ１に続いて、ＭＬＤコンバータ１１３は、レーン数変換処理を実行する（ステップＳ２）。具体的には、ＭＬＤコンバータ１１３は、１０個のレーンのＯＴＬ４．１０信号Ｄ１１２を、１２個のレーンのＯＴＬ４．１２信号Ｄ１１３に変換する。この変換について、図７、８を用いて説明する。
【００４４】
図７には、論理的な２０個のレーンに分割されたＯＴＵ４フレームが模式的に示されている。図７中の長方形の内部に記載されている数値は、ＯＴＵ４フレームを構成するデータのバイト数を意味する。図７に示されるように、ＯＴＵ４フレームのデータは、１６バイト毎に、２０個のレーンの各々に割り振られる。なお、ＯＴＵ４フレームを２０個のレーンに分割する手法については、ＩＴＵ−Ｔ勧告Ｇ．７０９に規定されている。
【００４５】
図７に示される２０個のレーンのデータは、物理的な１０個のレーンの信号に多重化されて、ＯＴＵ４フレーマ１１２とＭＬＤコンバータ１１３との間で伝送される。このため、図７は、実質的にＯＴＬ４．１０信号Ｄ１１２の構成を示している。
【００４６】
図７に示されるように、ＯＴＵ４フレームのデータが割り振られるレーンは、ＯＴＵ４フレーム毎に回転する。例えば、１個目のＯＴＵ４フレームのデータは、ゼロレーン目から割り振られ、２個目のＯＴＵ４フレームのデータは、１レーン目から割り振られる。そして、２１個目のＯＴＵ４フレームのデータは、再度ゼロレーン目から割り振られることとなる。
【００４７】
レーンが回転することで、ＯＴＵ４フレームの先頭に位置するＦＡＳ（Frame Alignment Signal）は、各レーンにおいて周期的に現れる。これにより、ＭＬＤコンバータ１１３は、各レーンの信号の位相を補正したり、各レーンの信号を識別したりすることが可能となる。ひいては、ＭＬＤコンバータ１１３は、高速にデータを転送することができる。
【００４８】
ＭＬＤコンバータ１１３は、ＯＴＬ４．１０信号Ｄ１１２を、図８に示される論理的な１２個のレーンのデータに変換する。具体的には、ＭＬＤコンバータ１１３は、ＯＴＵ４フレームのデータを、１６バイト毎に、１２個のレーンに割り振る。また、ＭＬＤコンバータ１１３は、図７に示された場合と同様に、ＯＴＵ４フレーム毎にレーンを回転させる。これにより、物理的な１２個のレーンのＯＴＬ４．１２信号Ｄ１１３が生成される。ＯＴＵ４信号の伝送速度が１１１．８１０Ｇｂｉｔ／ｓであるため、各レーンのＯＴＬ４．１２信号Ｄ１１３の伝送速度は、約９．３２Ｇｂｉｔ／ｓとなる。
【００４９】
また、ＭＬＤコンバータ１１３は、ＯＴＬ４．１２信号Ｄ１１３を、４個のレーン毎にグループ化する。そして、ＭＬＤコンバータ１１３は、各グループのＯＴＬ４．１２信号Ｄ１１３をＯＴＵ３フレーマ１２１〜１２３それぞれへ送信する。
【００５０】
図４に戻り、ステップＳ２に続いて、ＯＴＵ３フレーマ１２１〜１２３それぞれは、ＯＴＵ３信号生成処理を実行する（ステップＳ３）。これにより、３個のチャネルのＯＴＵ３信号が生成される。このＯＴＵ３信号生成処理について、図９を用いて説明する。
【００５１】
図９に示されるように、ＯＴＵ３フレーマ１２１〜１２３それぞれは、まず、４個のレーンのＯＴＬ４．１２信号Ｄ１１３を受信する（ステップＳ３１）。
【００５２】
次に、ＯＴＵ３フレーマ１２１〜１２３それぞれは、ＧＭＰに従ってＯＰＵ２フレームを生成する（ステップＳ３２）。具体的には、ＯＴＵ３フレーマ１２１〜１２３それぞれは、１個のレーンのＯＴＬ４．１２信号Ｄ１１３をＯＰＵ２フレームのペイロードにマッピングすることにより、ＯＰＵ２フレームを生成する。
【００５３】
ここで、ＯＰＵ２フレームのペイロードの容量は、９．９９５２８Ｇｂｉｔ／ｓ（≒２３８／２３７×９．９５３２８Ｇｂｉｔ／ｓ）である。一方、１個のレーンのＯＴＬ４．１２信号Ｄ１１３の伝送速度は、約９．３２Ｇｂｉｔ／ｓであって、ＯＰＵ２フレームのペイロードより小さい。ＯＴＵ３フレーマ１２１〜１２３それぞれは、ＧＭＰに従ってスタッフを分散して配置することにより、ペイロードの容量と伝送速度との差分による影響を受けることなくマッピングを実行する。
【００５４】
次に、ＯＴＵ３フレーマ１２１〜１２３それぞれは、ＯＤＵ２フレームを生成する（ステップＳ３３）。具体的には、ＯＴＵ３フレーマ１２１〜１２３それぞれは、ＯＰＵ２フレームをＯＤＵ２フレームにマッピングして、ＯＰＵ２フレームにＯＤＵ２フレームのオーバヘッドを付加する。
【００５５】
次に、ＯＴＵ３フレーマ１２１〜１２３それぞれは、ＡＭＰ（Asyncronous Mapping Procedure）に従って、ＯＤＵ２フレームを搬送するＯＤＵ２信号を、ＯＤＴＵ（Optical channel Data Tributary Unit）信号にマッピングする（ステップＳ３４）。ＡＭＰ及びＯＤＴＵは、ＩＴＵ−Ｔ勧告Ｇ．７０９に規定されているマッピング手法及びデータ形式である。
【００５６】
次に、ＯＴＵ３フレーマ１２１〜１２３それぞれは、４個のレーンのＯＤＴＵ信号を多重化することにより、ＨＯ（Higher Order）ＯＰＵ３信号を生成する（ステップＳ３５）。
【００５７】
次に、ＯＴＵ３フレーマ１２１〜１２３それぞれは、ＨＯ  ＯＰＵ３信号をＨＯ  ＯＤＵ３にマッピングする（ステップＳ３６）。また、ＯＴＵ３フレーマ１２１〜１２３それぞれは、ＨＯ  ＯＰＵ３信号に所定のオーバヘッドを付加する。
【００５８】
次に、ＯＴＵ３フレーマ１２１〜１２３それぞれは、ＯＴＵ３フレームを生成する（ステップＳ３７）。具体的には、ＯＴＵ３フレーマ１２１〜１２３それぞれは、ＨＯ  ＯＤＵ３の信号にＯＴＵ３フレームのオーバヘッドを付加する。これにより、３個のチャネルのＯＴＵ３信号Ｄ１２１〜１２３が生成される。
【００５９】
続いて、光伝送装置１０がＯＴＵ３信号Ｄ１２４〜Ｄ１２６から信号Ｄ１を抽出する場合の動作について、図１０を用いて説明する。図１０に示される処理は、図４等に示される一連の処理を逆に実行する処理に相当する。
【００６０】
図１０に示されるように、生成ユニット１２は、まず、ＯＴＬ４．１２信号抽出処理を実行する（ステップＳ４）。具体的には、ＯＴＵ３フレーマ１２１〜１２３それぞれが、ＯＴＵ３フレームから４個のレーンのＯＴＬ４．１２信号Ｄ１１３をデマッピングする。これにより、３個のチャネルのＯＴＵ３信号Ｄ１２１〜Ｄ１２３から、１２個のレーンのＯＴＬ４．１２信号Ｄ１１３が抽出される。
【００６１】
次に、ＭＬＤコンバータ１１３は、レーン数変換処理を実行する（ステップＳ５）。これにより、１２個のレーンのＯＴＬ４．１２信号Ｄ１１３は、１０個のレーンのＯＴＬ４．１０信号Ｄ１１２に変換される。
【００６２】
次に、生成ユニット１１は、信号抽出処理を実行する（ステップＳ６）。具体的には、ＯＴＵ４フレーマ１１２が、１０個のレーンのＯＴＬ４．１０信号Ｄ１１２から、信号Ｄ１１１を抽出する。その後、１００Ｇ光トランシーバ１１１は、信号Ｄ１１１を信号Ｄ１に変換する。
【００６３】
以上、説明したように、本実施の形態に係る生成ユニット１１は、信号Ｄ１から１２個のレーンのＯＴＬ４．１２信号Ｄ１１３を生成する。また、生成ユニット１２は、４個のレーンのＯＴＬ４．１２信号Ｄ１１３をＯＴＵ３フレームにマッピングすることにより、３個のチャネルのＯＴＵ３信号を生成する。これにより、光伝送装置１０は、クライアント７１から送信された信号Ｄ１を３個のチャネルのＯＴＵ３信号Ｄ１２４〜Ｄ１２６に分配するインバース多重装置として機能する。
【００６４】
信号Ｄ１がＯＴＵ４信号であって１００ＧｂＥの信号を収容する場合に、信号Ｄ１の伝送速度は１１１．８Ｇｂｉｔ／ｓとなる。一方、ＯＴＵ３信号Ｄ１２４〜Ｄ１２６はＯＴＵ３信号であって、その伝送速度は４３Ｇｂｉｔ／ｓであった。したがって、分配される前の信号Ｄ１の伝送速度は、分配された後のＯＴＵ３信号Ｄ１２４〜Ｄ１２６それぞれの伝送速度の約２．６倍となっていた。
【００６５】
信号Ｄ１とＯＴＵ３信号Ｄ１２４〜Ｄ１２６との伝送速度の比は、生成ユニット１１によって生成される信号のレーン数や、生成ユニット１２によって生成される信号のチャネル数を変更することで、ある程度大きい自由度で任意に設定することができる。
【００６６】
また、光伝送装置１０を構成する１００Ｇ光トランシーバ１１１、ＯＴＵ４フレーマ１１２、ＯＴＵ３フレーマ１２１〜１２３、４０Ｇ光トランシーバ１２４〜１２６はいずれも、ＩＴＵ−Ｔ勧告Ｇ．７０９にて標準化された伝送速度の信号を扱うため、規模の小さな回路として安価に製造することができる。これにより、光伝送装置１０を安価に製造することができる。また、光伝送装置１０の消費電力を容易に低減することができ、小型化を図ることもできる。
【００６７】
また、１個のレーンのＯＴＬ４．１０信号Ｄ１１２の伝送速度は、約１１．２Ｇｂｉｔ／ｓであった。このため、約１０Ｇｂｉｔ／ｓのペイロードを有するＯＰＵ２フレームに、１個のレーンのＯＴＬ４．１０信号Ｄ１１２をマッピングすることは困難である。しかしながら、本実施の形態では、ＭＬＤコンバータ１１３が、１０個のレーンのＯＴＬ４．１０信号Ｄ１１２を、１２個のレーンのＯＴＬ４．１２信号Ｄ１１３に変換した。これにより、１個のレーンのＯＴＬ信号をＯＰＵ２フレームにマッピングすることが可能となった。
【００６８】
また、本実施の形態に係る生成ユニット１２は、３個のチャネルのＯＴＵ３信号Ｄ１２４〜Ｄ１２６から１２個のレーンのＯＴＬ４．１２信号Ｄ１１３を抽出する。そして、生成ユニット１１は、１２個のレーンのＯＴＬ４．１２信号Ｄ１１３から信号Ｄ１を抽出する。これにより、光伝送装置１０は、通信路３０を介して伝送される３個のチャネルのＯＴＵ３信号Ｄ１２４〜Ｄ１２６を信号Ｄ１に多重化する多重装置として機能する。
【００６９】
（実施の形態２）
続いて、実施の形態２について、上述の実施の形態１との相違点を中心に説明する。なお、上記実施の形態１と同一又は同等の構成については、同等の符号を用いるとともに、その説明を省略又は簡略する。
【００７０】
本実施の形態に係るＯＴＵ３信号生成処理（ステップＳ３）では、図９に示された処理に代えて、図１１に示される処理が実行される。なお、図１１に示される処理は、ＩＴＵ−Ｔ勧告Ｇ．７０９に示される処理と同様の処理である。
【００７１】
まず、ＯＴＵ３フレーマ１２１〜１２３それぞれは、ＯＴＬ４．１２信号Ｄ１１３を受信する（ステップＳ７１）。次に、ＯＴＵ３フレーマ１２１〜１２３それぞれは、ＢＭＰ（Bit-synchronous Mapping Procedure）に従って、１個のレーンのＯＴＬ４．１２信号Ｄ１１３を、可変帯域のＯＰＵｆｌｅｘにマッピングする（ステップＳ７２）。ＢＭＰ及びＯＰＵｆｌｅｘは、ＩＴＵ−Ｔ勧告Ｇ．７０９にて規定されているマッピング手法及びデータ形式である。
【００７２】
次に、ＯＴＵ３フレーマ１２１〜１２３それぞれは、所定のオーバヘッドをＯＰＵｆｌｅｘに付加することにより、ＯＰＵｆｌｅｘをＯＤＵｆｌｅｘ信号にマッピングする（ステップＳ７３）。ＯＤＵｆｌｅｘは、ＩＴＵ−Ｔ勧告Ｇ．７０９にて規定されているデータ形式である。
【００７３】
次に、ＯＴＵ３フレーマ１２１〜１２３それぞれは、ＧＭＰに従ってＯＤＵｆｌｅｘ信号をＯＤＴＵ３．ｔｓ（Optical channel Data Tributary Unit 3 with tributary slots）信号にマッピングする（ステップＳ７４）。ＯＤＴＵ３．ｔｓは、ＩＴＵ−Ｔ勧告Ｇ．７０９にて規定されているデータ形式である。
【００７４】
次に、ＯＴＵ３フレーマ１２１〜１２３それぞれは、４個のレーンのＯＤＴＵ３．ｔｓ信号からＨＯ  ＯＰＵ３信号を生成する（ステップＳ７５）。
【００７５】
次に、ＯＴＵ３フレーマ１２１〜１２３それぞれは、実施の形態１に係るステップＳ３６、Ｓ３７と同様の処理を実行して、ＯＴＵ３信号生成処理を終了する。
【００７６】
以上、説明したように、本実施の形態に係るＯＴＵ３信号生成処理では、ＩＴＵ−Ｔによって標準化された手順に従って４個のレーンのＯＴＬ４．１２信号Ｄ１１３を多重化して、ＯＰＵ３信号を生成することができる。
【００７７】
（実施の形態３）
続いて、実施の形態３について、上述の実施の形態１との相違点を中心に説明する。なお、上記実施の形態１と同一又は同等の構成については、同等の符号を用いるとともに、その説明を省略又は簡略する。
【００７８】
本実施の形態に係る生成ユニット１１は、図１２に示されるように、ＭＬＤコンバータ１１３を省いて構成される。また、生成ユニット１１は、１０Ｇ光トランシーバ１１４、１１５、及びＯＴＵ２フレーマ１１６、１１７を有している。
【００７９】
１０Ｇ光トランシーバ１１４、１１５は、例えば、クライアント７１との間で１０ＧｂＥのデジタル信号を送受信する。また、１０Ｇ光トランシーバ１１４、１１５は、光電気変換を行う。ＯＴＵ２フレーマ１１６、１１７は、ＯＴＵ２信号Ｄ１１６、Ｄ１１７を生成して、ＯＴＵ３フレーマ１２３へ送信する。
【００８０】
また、本実施の形態に係るＯＴＵ３フレーマ１２１〜１２３それぞれは、ＯＴＵ３信号Ｄ１２１〜Ｄ１２３に代えて、ＯＴＵ３Ｖ信号Ｄ１３１〜Ｄ１３３を生成する。本実施の形態に係るＯＴＵ３Ｖ信号の伝送速度は約４８．４Ｇｂｉｔ／ｓであって、ＯＴＵ３Ｖフレームのペイロードの容量は約４５Ｇｂｉｔ／ｓである。このため、ＯＴＵ３フレーマ１２１、１２２は、ＯＴＵ４フレーマ１１２から送信された４個のレーンのＯＴＬ４．１０信号Ｄ１１２を、ＯＴＵ３Ｖフレームにマッピングすることができる。
【００８１】
なお、ＯＴＵ３Ｖは、ＯＴＵ３のバージョンの１つとしてＩＴＵ−Ｔ勧告Ｇ．８７０に規定されている。
【００８２】
以上、説明したように、本実施の形態に係る光伝送装置１０は、信号Ｄ１に加えて、２個のチャネルの信号を伝送することができる。また、１０Ｇ光トランシーバ１１４、１１５、及びＯＴＵ２フレーマ１１６、１１７はいずれも、ＩＴＵ−Ｔ勧告Ｇ．７０９にて標準化された伝送速度の信号を扱うため、規模の小さな回路として安価に製造することができる。
【００８３】
（実施の形態４）
続いて、実施の形態４について、上述の実施の形態１との相違点を中心に説明する。なお、上記実施の形態１と同一又は同等の構成については、同等の符号を用いるとともに、その説明を省略又は簡略する。
【００８４】
本実施の形態に係る生成ユニット１１は、ＯＴＬ４．１２信号に代えてＯＤＬ４．１２（Optical channel Data Lane 4.12）信号を生成する点で、上記実施の形態１に係るものと異なっている。また、本実施の形態に係る生成ユニット１２は、ＯＴＵ３信号に代えて、ＯＴＵｓｃ（Optical channel Transport Unit sc）信号を生成する点で、上記実施の形態１に係るものと異なっている。
【００８５】
図１３には、本実施の形態に係る光伝送装置１０の構成が示されている。図１３に示されるように、生成ユニット１１は、信号Ｄ１から１２個のレーンのＯＤＬ４．１２信号Ｄ１１９を生成する。また、生成ユニット１１は、１２個のレーンのＯＤＬ４．１２信号Ｄ１１９から信号Ｄ１を抽出する。生成ユニット１１は、１００Ｇ光トランシーバ１１１、ＯＤＵ４マッパー１１８、及びＯＤＵ４マルチレーン分配器１１９を有している。
【００８６】
１００Ｇ光トランシーバ１１１は、信号Ｄ１１１をＯＤＵ４マッパー１１８へ送信する。また、１００Ｇ光トランシーバ１１１は、ＯＤＵ４マッパー１１８から送信された信号Ｄ１１１を信号Ｄ１に変換する。
【００８７】
ＯＤＵ４マッパー１１８は、信号Ｄ１１１をＯＤＵ４フレームにマッピングして、ＯＤＵ４信号Ｄ１１８を生成する。そして、ＯＤＵ４マッパー１１８は、ＯＤＵ４信号Ｄ１１８をＯＤＵ４マルチレーン分配器１１９へ送信する。
【００８８】
また、ＯＤＵ４マッパー１１８は、ＯＤＵ４マルチレーン分配器１１９から送信されたＯＤＵ４信号Ｄ１１８を受信する。ＯＤＵ４マッパー１１８は、このＯＤＵ４信号Ｄ１１８に含まれるＯＤＵ４フレームから、信号Ｄ１１１をデマッピングして、１００Ｇ光トランシーバ１１１へ送信する。
【００８９】
ＯＤＵ４マルチレーン分配器１１９は、ＯＤＵ４フレームのサイズを変更した後にＯＤＵ４フレームを分割することにより、ＯＤＵ４信号Ｄ１１８から、１２個のレーンのＯＤＬ４．１２信号Ｄ１１９を生成する。そして、ＯＤＵ４マルチレーン分配器１１９は、ＯＤＬ４．１２信号Ｄ１１９を生成ユニット１２へ送信する。なお、上述のＯＤＬ４．１２信号Ｄ１１９のように、ＯＤＵの規格の種別を示す値ｋ、及び、ＯＤＵｋフレームから分割された物理的なレーンの個数ｎを用いて、ＯＤＬｋ．ｎ信号を表記する。
【００９０】
また、ＯＤＵ４マルチレーン分配器１１９は、生成ユニット１２から送信された１２個のレーンのＯＤＬ４．１２信号Ｄ１１９から、このＯＤＬ４．１２信号Ｄ１１９によって搬送されるＯＤＵ４信号Ｄ１１８を抽出する。そして、ＯＤＵ４マルチレーン分配器１１９は、ＯＤＵ４信号Ｄ１１８をＯＤＵ４マッパー１１８へ送信する。
【００９１】
生成ユニット１２は、１２個のレーンのＯＤＬ４．１２信号Ｄ１１９から４個のチャネルのＯＴＵｓｃ信号Ｄ１４５〜Ｄ１４８を生成する。また、生成ユニット１２は、ＯＴＵｓｃ信号Ｄ１４５〜Ｄ１４８から、１２個のレーンのＯＤＬ４．１２信号Ｄ１１９を抽出する。生成ユニット１２は、ＯＴＵｓｃフレーマ１４１〜１４４、及び光サブキャリア送受信器１４５〜１４８を有している。
【００９２】
ＯＴＵｓｃフレーマ１４１〜１４４それぞれは、１２個のレーンのうち３個のレーンのＯＤＬ４．１２信号Ｄ１１９を受信して、ＯＴＵｓｃフレームにマッピングする。そして、ＯＴＵｓｃフレーマ１４１〜１４４それぞれは、ＯＴＵｓｃ信号Ｄ１４１〜Ｄ１４４それぞれを生成して、光サブキャリア送受信器１４５〜１４８それぞれへ送信する。
【００９３】
また、ＯＴＵｓｃフレーマ１４１〜１４４それぞれは、光サブキャリア送受信器１４５〜１４８それぞれから送出されたＯＴＵｓｃフレームから、３個のレーンのＯＤＬ４．１２信号Ｄ１１９をデマッピングして、ＯＤＵ４マルチレーン分配器１１９へ送信する。ＯＴＵｓｃフレーマ１４１〜１４４からは、ＯＤＵ４マルチレーン分配器１１９へ１２個のレーンのＯＤＬ４．１２信号Ｄ１１９が送信されることとなる。
【００９４】
ここで、ＯＴＵｓｃフレームの構造及びペイロードの容量、ＯＴＵｓｃフレームに付加されるオーバヘッド、並びにＯＴＵｓｃ信号の伝送速度等の属性は、ＩＴＵ−Ｔ勧告Ｇ．７０９にて規定されるＯＴＵｋフレーム及びＯＴＵｋ信号の属性と同様のものとしてもよい。また、ＯＴＵｓｃ信号の伝送速度を、特定の容量のペイロードを伝送するために必要な任意の伝送速度としてもよい。
【００９５】
光サブキャリア送受信器１４５〜１４８それぞれは、ＯＴＵｓｃ信号Ｄ１４１〜Ｄ１４４それぞれと、ＯＴＵｓｃ信号Ｄ１４５〜Ｄ１４８それぞれとの光電気変換を相互に行う。例えば、光サブキャリア送受信器１４５は、電気信号のＯＴＵｓｃ信号Ｄ１４１を、光信号のＯＴＵｓｃ信号Ｄ１４５に変換する。また、光サブキャリア送受信器１４５は、光信号のＯＴＵｓｃ信号Ｄ１４５を、電気信号のＯＴＵｓｃ信号Ｄ１４１に変換して、ＯＴＵｓｃフレーマ１４１へ送信する。
【００９６】
なお、４個のチャネルのＯＴＵｓｃ信号Ｄ１４５〜Ｄ１４８が波長多重化される場合に、ＯＴＵｓｃ信号Ｄ１４５〜Ｄ１４８それぞれは、互いに異なる波長の光信号となる。そして、ＯＴＵｓｃ信号Ｄ１４５〜Ｄ１４８は、不図示の波長多重部において多重化された後に、本実施の形態においては４対の伝送路からなる通信路３０へ送信される。また、通信路３０を介して光伝送装置１０へ伝送された信号は、不図示の波長分離部においてＯＴＵｓｃ信号Ｄ１４５〜Ｄ１４８それぞれに分離された後で、生成ユニット１２に入力される。
【００９７】
また、ＯＴＵｓｃ信号Ｄ１４５〜Ｄ１４８は、複数のサブキャリアにより変調（多重化）され、復調（分離）されてもよい。その他、任意の方式でＯＴＵｓｃ信号Ｄ１４５〜Ｄ１４８を多重化してもよいし、分離してもよい。
【００９８】
続いて、伝送システム１００が４個のチャネルのＯＴＵｓｃ信号Ｄ１４５〜Ｄ１４８を信号Ｄ１から生成する場合の動作について、図１４〜１８を用いて説明する。
【００９９】
図１４に示されるように、まず、生成ユニット１１は、ＯＤＬ４．１２信号生成処理を実行する（ステップＳ８１）。このＯＤＬ４．１２信号生成処理において、ＯＤＵ４マルチレーン分配器１１９は、ＯＤＵ４信号Ｄ１１８から、１２個のレーンのＯＤＬ４．１２信号Ｄ１１９を生成する。
【０１００】
具体的には、ＯＤＵ４マルチレーン分配器１１９は、ＯＤＵ４マッパー１１８から送出されたＯＤＵ４フレームに固定スタッフを付加することにより、ＯＤＵ４フレームのサイズを変更する。
【０１０１】
図１５には、ＯＤＵ４フレームのフォーマットが示されている。このフォーマットは、ＯＤＵ４マッパー１１８から送出されたＯＤＵ４フレームの構成を示している。図１５に示されるように、ＯＤＵ４フレームは４行のデータから構成され、ＯＤＵ４フレームのうち１行を占めるデータのサイズは２３９×１６バイトである。このサイズは、１０又は１２で割り切ることができない。
【０１０２】
ＯＤＵ４マルチレーン分配器１１９は、図１６に示されるように、ＯＤＵ４フレームに固定スタッフを付加して、１行あたり２４０×１６バイトの４行からなるＯＤＵ４フレームを新たに生成する。このようにして変更されたＯＤＵ４フレームのサイズは、１０及び１２で割り切ることができるものとなる。固定スタッフは、例えば、値がゼロに固定されたビット列である。
【０１０３】
また、ＯＤＵ４マルチレーン分配器１１９は、サイズが変更されたＯＤＵ４フレームを分割することにより、１２個のレーンのＯＤＬ４．１２信号Ｄ１１９を生成する。ＯＤＬ４．１２信号Ｄ１１９は、実施の形態１においてＯＴＵ４フレームからＯＴＬ４．１０信号Ｄ１１２又はＯＴＬ４．１２信号Ｄ１１３が生成される手順と同様の手順で生成される。
【０１０４】
図１７には、サイズが変更された後に論理的な１２個のレーンに分割されたＯＤＵ４フレームが模式的に示されている。図１７中の長方形の内部に記載されている数値は、図１６に示されるＯＤＵ４フレームを構成するデータのバイト数を意味する。図１７に示される１２個のレーンのデータは、ＯＤＵ４マルチレーン分配器１１９と生成ユニット１２との間で伝送される。このため、図１７は、実質的にＯＤＬ４．１２信号Ｄ１１９の構成を示している。
【０１０５】
図１７に示されるように、ＯＤＵ４フレームから分割されたデータに割り振られるレーンは、ＯＤＵ４フレーム毎に回転する。例えば、１個目のＯＤＵ４フレームのデータは、ゼロレーン目から割り振られ、２個目のＯＤＵ４フレームのデータは、１レーン目から割り振られる。そして、１３個目のＯＤＵ４フレームのデータは、再度ゼロレーン目から割り振られることとなる。
【０１０６】
レーンが回転することで、ＯＤＵ４フレームの先頭に位置するＦＡＳは、各レーンにおいて周期的に現れる。これにより、ＯＤＵ４マルチレーン分配器１１９は、各レーンの信号の位相を補正したり、各レーンの信号を識別したりすることが可能となる。ひいては、ＯＤＵ４マルチレーン分配器１１９は、高速にデータを転送することができる。
【０１０７】
なお、サイズが変更されたＯＤＵ４フレームを搬送するＯＤＵ４信号の伝送速度が１０５．２３３Ｇｂｉｔ／ｓであるため、各レーンのＯＤＬ４．１２信号Ｄ１１９の伝送速度は、約８．７７Ｇｂｉｔ／ｓとなる。
【０１０８】
また、ＯＤＵ４マルチレーン分配器１１９は、ＯＤＬ４．１２信号Ｄ１１９を、３個のレーン毎にグループ化する。そして、ＯＤＵ４マルチレーン分配器１１９は、各グループの信号をＯＴＵｓｃフレーマ１４１〜１４４それぞれへ送信する。
【０１０９】
図１４に戻り、ＯＤＬ４．１２信号生成処理（ステップＳ８１）に続いて、ＯＴＵｓｃフレーマ１４１〜１４４それぞれは、ＯＴＵｓｃ信号生成処理を実行する（ステップＳ８２）。これにより、４個のチャネルのＯＴＵｓｃ信号Ｄ１４１〜Ｄ１４４が生成される。このＯＴＵｓｃ信号生成処理について、図１８を用いて説明する。
【０１１０】
図１８に示されるように、ＯＴＵｓｃフレーマ１４１〜１４４それぞれは、まず、３個のレーンのＯＤＬ４．１２信号Ｄ１１９を受信する（ステップＳ８２１）。
【０１１１】
次に、ＯＴＵｓｃフレーマ１４１〜１４４それぞれは、ＧＭＰに従ってＯＰＵｓｃ（Optical channel Payload Unit sc）フレームを生成する（ステップＳ８２２）。具体的には、ＯＴＵｓｃフレーマ１４１〜１４４それぞれは、３個のレーンのＯＤＬ４．１２信号Ｄ１１９をＯＰＵｓｃフレームのペイロードにマッピングすることにより、ＯＰＵｓｃフレームを生成する。
【０１１２】
ＯＰＵｓｃフレームは、ＯＴＵｓｃフレームを構成するためのフレームである。ＯＰＵｓｃフレームのペイロード容量、及び、ＯＰＵｓｃフレームを搬送するＯＰＵｓｃ信号の伝送速度等の属性は、ＩＴＵ−Ｔ勧告Ｇ．７０９にて規定されるＯＰＵｋフレーム及びＯＰＵｋ信号の属性と同様のものとしてもよいし、任意に変更してもよい。
【０１１３】
ここで、ＯＰＵｓｃフレームのペイロードの容量は、ＯＤＬ４．１２信号Ｄ１１９の３レーン分の伝送速度（３×８．７７Ｇｂｉｔ／ｓ）以上であればよい。ＯＰＵｓｃフレームのペイロード容量が３×８．７７Ｇｂｉｔ／ｓより大きい場合であっても、ＯＴＵｓｃフレーマ１４１〜１４４それぞれは、ＧＭＰに従ってスタッフを分散して配置することにより、ＯＤＬ４．１２信号Ｄ１１９のペイロードの容量と伝送速度との差分による影響を受けることなくマッピングを実行する。
【０１１４】
次に、ＯＴＵｓｃフレーマ１４１〜１４４それぞれは、ＯＤＵｓｃ（Optical channel Data Unit sc）フレームを生成する（ステップＳ８２３）。具体的には、ＯＴＵｓｃフレーマ１４１〜１４４それぞれは、ＯＰＵｓｃフレームをＯＤＵｓｃフレームにマッピングして、ＯＰＵｓｃフレームにＯＤＵｓｃフレームのオーバヘッドを付加する。
【０１１５】
ＯＤＵｓｃフレームは、ＯＴＵｓｃフレームを構成するためのフレームであって、ＯＰＵｓｃフレームを含んで構成される。ＯＤＵｓｃフレームのペイロード容量、及び、ＯＤＵｓｃフレームを搬送するＯＤＵｓｃ信号の伝送速度等の属性は、ＩＴＵ−Ｔ勧告Ｇ．７０９にて規定されるＯＤＵｋフレーム及びＯＤＵｋ信号の属性と同様のものとしてもよいし、任意に変更してもよい。
【０１１６】
次に、ＯＴＵｓｃフレーマ１４１〜１４４それぞれは、ＯＴＵｓｃフレームを生成する（ステップＳ８２４）。具体的には、ＯＴＵｓｃフレーマ１４１〜１４４それぞれは、ＯＤＵｓｃフレームにＯＴＵｓｃフレームのオーバヘッド等を付加する。これにより、４個のチャネルのＯＴＵｓｃ信号Ｄ１４１〜Ｄ１４４が生成される。
【０１１７】
続いて、光伝送装置１０がＯＴＵｓｃ信号Ｄ１４５〜Ｄ１４８から信号Ｄ１を抽出する場合の動作について、図１９を用いて説明する。図１９に示される処理は、図１４に示される処理を逆順に実行する処理に相当する。
【０１１８】
図１９に示されるように、生成ユニット１２は、まず、ＯＤＬ４．１２信号抽出処理を実行する（ステップＳ８４）。具体的には、ＯＴＵｓｃフレーマ１４１〜１４４それぞれが、ＯＴＵｓｃフレームから３個のレーンのＯＤＬ４．１２信号Ｄ１１９をデマッピングする。これにより、４個のチャネルのＯＴＵｓｃ信号Ｄ１４１〜Ｄ１４４から、１２個のレーンのＯＤＬ４．１２信号Ｄ１１９が抽出される。
【０１１９】
次に、生成ユニット１１は、信号抽出処理を実行して、ＯＤＬ４．１２信号Ｄ１１９から信号Ｄ１を抽出する（ステップＳ８５）。具体的には、ＯＤＵ４マルチレーン分配器１１９が、１２個のレーンのＯＤＬ４．１２信号Ｄ１１９からＯＤＵ４フレームを復元して、復元したＯＤＵ４フレームに含まれる固定スタッフを削除することにより、ＯＤＵ４信号Ｄ１１８を生成する。そして、ＯＤＵ４マッパー１１８が、ＯＤＵ４信号Ｄ１１８から信号Ｄ１１１を抽出し、１００Ｇ光トランシーバ１１１が、信号Ｄ１１１を信号Ｄ１に変換する。これにより、信号Ｄ１が抽出される。
【０１２０】
以上、説明したように、本実施の形態に係る生成ユニット１１は、信号Ｄ１から１２個のレーンのＯＤＬ４．１２信号Ｄ１１９を生成する。また、生成ユニット１２は、３個のレーンのＯＤＬ４．１２信号Ｄ１１９をＯＴＵｓｃフレームにマッピングすることにより、４個のチャネルのＯＴＵｓｃ信号を生成する。これにより、光伝送装置１０は、クライアント７１から送信された信号Ｄ１を４個のチャネルのＯＴＵｓｃ信号Ｄ１４５〜Ｄ１４８に分配するインバース多重装置として機能する。
【０１２１】
また、本実施の形態では、実施の形態１と同様に、信号Ｄ１とＯＴＵｓｃ信号Ｄ１４５〜Ｄ１４８との伝送速度の比は、生成ユニット１１によって生成される信号のレーン数や、生成ユニット１２によって生成される信号のチャネル数を変更することで、ある程度大きい自由度で任意に設定することができる。
【０１２２】
また、ＯＴＮの枠組みにおけるマルチチャネルパラレルインタフェースでは、伝送されるフレームのフレーム長（サイズ）が分配の前後で同じであることが想定されていた。そのため、フレーム長が分配の前後で異なると、ＩＴＵ−Ｔ勧告Ｇ．７０９に開示されているマルチチャネルパラレルインタフェースを用いることが困難であった。
【０１２３】
しかしながら、本実施の形態に係るＯＤＵ４マルチレーン分配器１１９は、ＯＤＵ４フレームに固定スタッフを付加することで、ＯＤＵ４フレームのサイズを変更した。これにより、サイズが変更された後のＯＤＵ４フレームを１０個又は１２個のレーンに分割することが可能となった。すなわち、ＯＤＵ４マルチレーン分配器１１９による分配の前後で、ＯＤＵ４フレームのフレーム長が異なる場合であっても、光伝送装置１０は、インバース多重装置として機能することができる。
【０１２４】
また、本実施の形態では、ＯＴＬ４．１２信号ではなく、ＯＤＬ４．１２信号Ｄ１１９がＯＴＵｓｃフレームに収容された。ＯＴＬ４．１２信号の伝送速度（９．３２Ｇｂｉｔ／ｓ）よりＯＤＬ４．１２信号の伝送速度（８．７７Ｇｂｉｔ／ｓ）の方が低いため、本実施の形態では、ＯＴＬ４．１２信号を伝送する場合に比べて、複数チャネルのＯＴＵｓｃ信号の伝送速度を低く設計することができる。これにより、光伝送装置１０による信号の伝送性能の向上、並びに、光伝送装置１０を構成する部品の低コスト化、及び低消費電力化を図ることができる。
【０１２５】
また、本実施の形態に係るＯＴＵｓｃフレームとして、ＩＴＵ−Ｔ勧告Ｇ．７０９にて規定されるＯＴＵｋフレームの構成の一部を省略又は簡略化したものを用いることが考えられる。フレームの構成の一部を省略又は簡略化した場合には、光伝送装置１０の回路規模を小規模なものとし、伝送に不必要な情報を省略して通信帯域を節約することができる。
【０１２６】
また、本実施の形態に係るＯＴＵｓｃフレームとして、ＯＴＵｋフレーム又はＦＥＣ冗長領域が拡大されたＯＴＵｋＶフレームを用いることが考えられる。ＯＴＵｋフレーム又はＯＴＵｋＶフレームを用いる場合には、ＩＴＵ−Ｔ勧告Ｇ．７０９に従って製造された部品から光伝送装置１０を構成することが容易になる。
【０１２７】
また、本実施の形態に係るＯＴＵｓｃ信号の伝送速度を、ＩＴＵ−Ｔ勧告Ｇ．７０９にて規定されるＯＴＵｋ信号の伝送速度から任意に変更したものとしてもよい。例えば、ペイロードの容量に応じて伝送速度を最適化することにより、光伝送装置１０の低消費電力化及び低コスト化が可能となる。
【０１２８】
また、本実施の形態に係る生成ユニット１２は、４個のチャネルのＯＴＵｓｃ信号Ｄ１４５〜Ｄ１４８から１２個のレーンのＯＤＬ４．１２信号Ｄ１１９を抽出する。そして、生成ユニット１１は、１２個のレーンのＯＤＬ４．１２信号Ｄ１１９から信号Ｄ１を抽出する。これにより、光伝送装置１０は、通信路３０を介して伝送される４個のチャネルのＯＴＵｓｃ信号Ｄ１４５〜Ｄ１４８を信号Ｄ１に多重化する多重装置として機能する。
【０１２９】
（実施の形態５）
続いて、実施の形態５について、上述の実施の形態４との相違点を中心に説明する。なお、上記実施の形態４と同一又は同等の構成については、同等の符号を用いるとともに、その説明を省略又は簡略する。
【０１３０】
本実施の形態に係るＯＤＵ４マルチレーン分配器１１９は、ＯＤＵ４フレームに固定スタッフを付加しない点で、上記実施の形態４に係るものと異なっている。
【０１３１】
本実施の形態に係るＯＤＵ４マルチレーン分配器１１９は、ＯＤＵ４フレームに固定スタッフを付加しないため、ＯＤＵ４フレームのサイズは変更されない。ＯＤＵ４マルチレーン分配器１１９は、ＯＤＵ４フレームのサイズを変更することなくＯＤＵ４フレームを分割することにより、１２個のレーンのＯＤＬ４．１２信号Ｄ１１９を生成する。
【０１３２】
図２０には、１２個のレーンに分割された複数のＯＤＵ４フレーム８１〜８９が示されている。図２０に示されるように、ＯＤＵ４フレーム８１〜８９それぞれのサイズ（２３９×１６）が１２で割り切れないため、ＯＤＵ４フレーム８１〜８９それぞれから分割されて一部のレーンに割り振られるデータの量が、他のレーンに割り振られるデータの量と等しくない。すなわち、ＯＤＵ４フレーム８１〜８９それぞれから分割されたデータは、一部のレーンに偏って割り振られる。
【０１３３】
ただし、３個のＯＤＵ４フレームを１つのブロックとすると、このブロックのサイズ（２３９×１６×３）は、１２で割り切れるため、１つのブロックのデータは、各レーンに均等に割り振られる。
【０１３４】
ＯＤＵ４マルチレーン分配器１１９は、このブロック毎に、レーンを回転させる。すなわち、ＯＤＵ４フレームから分割されたデータに割り当てられるレーンの順番が、ブロック毎に変更される。例えば、１〜３個目のＯＤＵ４フレーム８１〜８３のデータは、ゼロレーン目から割り振られ、４〜６個目のＯＤＵ４フレーム８４〜８６のデータは、１レーン目から割り振られる。そして、３７〜３９個目のＯＤＵ４フレームのデータは、再度ゼロレーン目から割り振られることとなる。
【０１３５】
また、ＯＤＵ４マルチレーン分配器１１９は、各ブロックを構成するＯＤＵ４フレームのうち、先頭のＯＤＵ４フレーム以外のＯＤＵ４フレームのＦＡＳの値を変更する。例えば、ＯＤＵ４マルチレーン分配器１１９は、各ブロックのうち２、３番目のＯＤＵ４フレームのＦＡＳのビットを反転させる。
【０１３６】
図２０では、ビットが反転されないＦＡＳ９１、９４、９７が、ハッチングが付された長方形で示されている。また、ビットが反転されるＦＡＳ９２、９３、９５、９６、９８、９９が、白抜きの長方形で示されている。
【０１３７】
また、ＯＤＵ４マルチレーン分配器１１９は、１２個のレーンのＯＤＬ４．１２信号Ｄ１１９からＯＤＵ４フレームを復元し、ビットが反転されているＦＡＳのビットを再度反転することによりＦＡＳを修復する。そして、ＯＤＵ４マルチレーン分配器１１９は、ＯＤＵ４信号Ｄ１１８を生成して、ＯＤＵ４マッパー１１８へ送信する。
【０１３８】
以上、説明したように、本実施の形態に係るＯＤＵ４マルチレーン分配器１１９は、各ブロックの先頭のＦＡＳのみを改変することなく、ブロック毎にレーンを回転させる。これにより、改変されていないＦＡＳは、各レーンにおいて周期的に現れる。
【０１３９】
ＯＤＵ４マルチレーン分配器１１９がＦＡＳを改変しない場合には、各ＯＤＵフレームのＦＡＳが、ゼロレーン目、１レーン目、２レーン目・・・と順に現れない。また、各レーンに等しい量のデータ割り振られるときに、各レーンにおいて複数のＦＡＳが現れると、ＯＴＵｓｃ信号の受信側では、いずれのＦＡＳが基準となるかを判別することが困難となる。すなわち、レーン分配が１周する間に、各レーンに複数のＦＡＳが現れると、各レーンの信号の位相を補正したり、各レーンの信号を識別したりすることが困難となる。
【０１４０】
しかしながら、本実施の形態において、位相の補正及び信号の識別に不要なＦＡＳは、ＯＤＵ４マルチレーン分配器１１９によって改変されて、基準とされることがない。このため、ＯＴＵｓｃ信号の受信側では、各ブロックの先頭のＦＡＳを基準として、位相の補正及び信号の識別が可能となる。
【０１４１】
また、本実施の形態では、ＯＤＵ４フレームに固定スタッフが付加されない。このため、余分なデータを伝送することがなくなり、ＯＴＵｓｃ信号の伝送速度として要求される値の上昇を抑えることができる。
【０１４２】
以上、本発明の実施の形態について説明したが、本発明は上記実施形態によって限定されるものではない。
【０１４３】
例えば、上記実施の形態１〜３では、ＯＴＵ４信号をＯＴＵ３信号に分配する例を説明したが、これには限定されない。例えば、４００Ｇｂｉｔ／ｓ程度の伝送速度の信号として今後標準化されると考えられるＯＴＵ５信号をＯＴＵ４信号に分配してもよい。
【０１４４】
また、クライアント７１から電気信号が伝送される場合には、１００Ｇ光トランシーバ１１１を省いて光伝送装置１０を構成してもよい。
【０１４５】
また、上記実施の形態４では、固定スタッフを付加することでＯＤＵ４フレームのサイズを１２で割り切れるものとしたが、これには限定されない。例えば、ＯＤＵ４マルチレーン分配器１１９がｎ個のレーンのＯＤＬｋ．ｎ信号を生成するときには、ＯＤＵ４フレームのサイズがｎで割り切れるものとなるように、固定スタッフを付加すればよい。
【０１４６】
また、上記実施の形態４、５では、４個のチャネルのＯＴＵｓｃ信号を生成する例を説明したが、これには限定されない。例えば、生成ユニット１２は、ｎ個のレーンのＯＤＬｋ．ｎ信号から、レーンの個数ｎを割り切れる数のＯＴＵｓｃ信号を生成してもよい。このようなＯＴＵｓｃ信号が生成された場合には、ｎ個のレーンのＯＤＬｋ．ｎ信号が、複数のチャネルのＯＴＵｓｃ信号に均等に分配されることとなる。
【０１４７】
信号Ｄ１とＯＴＵｓｃ信号Ｄ１４５〜Ｄ１４８との伝送速度等の関係は、生成ユニット１１によって生成される信号のレーンの個数、及び生成ユニット１２によって生成される信号のチャネルの個数を変更することで、ある程度大きい自由度で任意に設定することができる。
【０１４８】
また、１００ＧｂＥの信号Ｄ１を収容するＯＤＵ４フレームに固定スタッフを付加し、４個のチャネルのＯＴＵｓｃ信号にマッピングして伝送する例を示したが、これには限定されない。例えば、将来標準化が期待される任意の高速な信号（例えば４００ギガビットイーサネット等）について、この信号を収容可能なＯＤＵｋフレームを用いれば、上記実施の形態と同様の効果を奏することはいうまでもない。
【０１４９】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１５０】
本発明のインバース多重装置、多重装置、インバース多重方法及び多重方法は、光通信技術に適している。
【符号の説明】
【０１５１】
１０、２０  光伝送装置、  １１、１２  生成ユニット、  ３０  通信路、  ７１、７２  クライアント、  ８１〜８９  ＯＤＵ４フレーム、  ９１〜９９  ＦＡＳ、  １００  伝送システム、  １１１  １００Ｇ光トランシーバ、  １１２  ＯＴＵ４フレーマ、  １１３  ＭＬＤコンバータ、  １１４、１１５  １０Ｇ光トランシーバ、  １１６、１１７  ＯＴＵ２フレーマ、  １１８  ＯＤＵ４マッパー、  １１９  ＯＤＵ４マルチレーン分配器、  １２１、１２２、１２３  ＯＴＵ３フレーマ、  １２４、１２５、１２６  ４０Ｇ光トランシーバ、  １４１〜１４４  ＯＴＵｓｃフレーマ、  １４５〜１４８  光サブキャリア送受信器、  Ｄ１、Ｄ２、Ｄ１１１  信号、  Ｄ１１２  ＯＴＬ４．１０信号、  Ｄ１１３  ＯＴＬ４．１２信号、  Ｄ１１６、Ｄ１１７  ＯＴＵ２信号、  Ｄ１１８  ＯＤＵ４信号、  Ｄ１１９  ＯＤＬ４．１２信号、  Ｄ１２１〜Ｄ１２６  ＯＴＵ３信号、  Ｄ１３１〜Ｄ１３３  ＯＴＵ３Ｖ信号、  Ｄ１４１〜Ｄ１４８  ＯＴＵｓｃ信号。
【図１】
2014132746.tif 000003
【図２】
2014132746.tif 000004
【図３】
2014132746.tif 000005
【図４】
2014132746.tif 000006
【図５】
2014132746.tif 000007
【図６】
2014132746.tif 000008
【図７】
2014132746.tif 000009
【図８】
2014132746.tif 000010
【図９】
2014132746.tif 000011
【図１０】
2014132746.tif 000012
【図１１】
2014132746.tif 000013
【図１２】
2014132746.tif 000014
【図１３】
2014132746.tif 000015
【図１４】
2014132746.tif 000016
【図１５】
2014132746.tif 000017
【図１６】
2014132746.tif 000018
【図１７】
2014132746.tif 000019
【図１８】
2014132746.tif 000020
【図１９】
2014132746.tif 000021
【図２０】
2014132746.tif 000022